(57)【特許請求の範囲】
【請求項１】
天井に吊り下げ設置される外枠部と、前記外枠部内に並設して収納される複数の空気調和機本体と、前記外枠部の下面に設けられる化粧パネル部とを備えた天井カセット形空気調和装機において、
前記化粧パネル部は、それぞれが吸込口および吹出口を備えた複数の化粧パネルと、この複数の化粧パネルを連結する化粧パネル連結部材と、前記化粧パネル同士が隣接する部分を覆うカバー部材とで構成され、
前記化粧パネル連結部材は、前記化粧パネル同士が隣接する側の化粧パネルコーナ部間に亘って架設されるとともに前記カバー部材を係止する係止部を有し、
前記カバー部材は、前記化粧パネルの形状に沿って湾曲する薄板状のカバー板と、カバー板の前記化粧パネルと対向する面に設けられ、前記パネル連結部材の係止部と係合する引掛け部と、前記カバー板の両端部に設けられ、前記化粧パネルの縁部と係合する固定部とを有する
ことを特徴とする天井カセット形空気調和機。
【請求項２】
前記複数の化粧パネルは、コーナ部に設けられた開口部と、この開口部に着脱自在に取り付けられる蓋を有する４方向吹出しタイプの天井カセット形空気調和機の化粧パネルであって、前記化粧パネル連結部材は、前記化粧パネル同士が隣接する側の前記蓋に替えて取り付けられることを特徴とする請求項２に記載の天井カセット形空気調和機。
【発明の詳細な説明】
【技術分野】
【０００１】
本発明は、天井カセット形の空気調和機に関し、特に複数台の空気調和機を１つの筐体に収納してなる天井カセット形空気調和機の化粧パネルの構造に関する。
【背景技術】
【０００２】
一般に、店舗等の広い空間を空調する場合には、壁面に取り付けられる、いわゆる壁掛け形ではなく、複数の方向に空調風を吹出すことができる天井カセット形空気調和機が多用される傾向にある。近年、店舗の大型化に伴い、この種の天井カセット形空気調和機は、大容量化が求められている。
この大容量の空気調和機を新たに開発するとなると、熱交換器、送風ファン等新規な構成部品が必要となり、開発期間が長くなるとともに開発費用も高くなることから、特許文献１に記載されているように、既存の２つの天井カセット形空気調和機を１つの外板体に収納して大容量の空気調和機を構成し、部品の共通化及び開発期間の短縮を図ったものが知られている。
【特許文献１】特許第３６９５９１６号公報
【発明の開示】
【発明が解決しようとする課題】
【０００３】
しかしながら、上記の天井カセット形空気調和機は、空気調和機本体の大型化に伴い、下面に取付けられる化粧パネルも大型化する必要がある。この種の化粧パネルは、樹脂成型品や金属板のプレス加工品が用いられているが、長形、大形のものを製造する場合は、金型費用が高額になり製品コストが上昇するという問題があった。
【０００４】
そこで本発明は、長形、大形でもコストの上昇を抑え、見栄えの良い化粧パネルを備えた天井カセット形空気調和機を提供することを目的とする。
【課題を解決するための手段】
【０００５】
上記課題を解決するため、本発明は天井に吊り下げ設置される外枠部と、前記外枠部内に並設して収納される複数の空気調和機本体と、前記外枠部の下面に設けられる化粧パネル部とを備えた天井カセット形空気調和装機において、
前記化粧パネル部は、それぞれが吸込口および吹出口を備えた複数の化粧パネルと、この複数の化粧パネルを連結する化粧パネル連結部材と、前記化粧パネル同士が隣接する部分を覆うカバー部材とで構成され、前記化粧パネル連結部材は、前記化粧パネル同士が隣接する側の化粧パネルコーナ部間に亘って架設されるとともに前記カバー部材を係止する係止部を有し、前記カバー部材は、前記化粧パネルの形状に沿って湾曲する薄板状のカバー板と、カバー板の前記化粧パネルと対向する面に設けられ、前記パネル連結部材の係止部と係合する引掛け部と、前記カバー板の両端部に設けられ、前記化粧パネルの縁部と係合する固定部とを有する。
【０００６】
本発明によれば、長形、大形の空気調和機においても化粧パネルのコストの上昇を抑え、見栄えを良くすることができる。
【発明を実施するための最良の形態】
【０００７】
以下、本発明の一実施形態を図面を参照して説明する。
図１は本発明に係る天井カセット形空気調和機１を下面側から示す斜視図、図２は同空気調和機１からカバー部材５をはずした状態を示す斜視図、図３は同空気調和機１からカバー部材５と取り外して下面側から見た図、図４は同空気調和機１の側面図、図５は内蔵ユニット２１の断面図、図６はカバー部材５とパネル連結部材４ａ，４ｂを示す斜視図、図７は化粧パネル３１，３１の連結部分を拡大した図、図８は図７においてパネル連結部材４ａ，４ｂを取り付けた状態を示す図、図９はカバー部材５の取り付け手順を説明する図である。
【０００８】
図１に示すように、天井カセット形空気調和機の室内機１は、被空調室の天井板に設けられた取り付け用開口部に室内側から挿入されて吊りボルト等を介して、いわゆる天井裏に吊持固定される外枠部１０と、この外枠部１０の室内側に露出して取り付けられる化粧パネル部３とを備えている。
【０００９】
外枠部１０は、その下面の略全てが開口するとともに上面部１０ａと側面部１０ｂとを有し、金属板により箱状に形成されている。
【００１０】
図４に示すように、この外枠部１０内に後述する２台の天井カセット形空気調和機本体（以下、内蔵ユニットと言う。）２，２が外枠部１０の長手方向に並んで収納されている。
また、外枠部１０の側面のコーナー部には、水平方向外側に突出した吊下げ部材１１が設けられており、この吊下げ部材１１の中央部に形成された長孔に吊下げボルト１００を挿通し、この挿通部分の下側にナット１０１を螺着する。これにより、ナットの上面に吊下げ部材１１が当接することになり外枠部１０が吊下げボルト１００に吊下げ支持されている。
【００１１】
また、外枠部１０の長手側の一側面１０ｂには、ドレン排水口１２と、現地冷媒配管が接続されるガス管接続部１３ａ及び液管接続部１３ｂとが設けられている。
【００１２】
次に内蔵ユニット２について説明する。
内蔵ユニット２，２は、それぞれ同一容量の４方向吹出しタイプの天井カセット形空気調和機本体が用いられている。ここで５馬力の空気調和機が２台用いられると、空気調和機１は１０馬力の容量となる。
【００１３】
図５に示すように、内蔵ユニット２，２は、下面の略全てが開口した箱状の筐体２１を備え、その内部には、中央部に送風機２２が配置され、送風機２２を囲むようにして形成された室内熱交換器２３が収容されている。
【００１４】
送風機２２は、筐体２１の上面部に適宜な手段で取り付け固定されるファンモータ２２ａと、このファンモータ２２ａの回転軸に取り付けられるファン２２ｂとからなる。この送風機２２は、ファン２２ｂの回転に伴い回転軸方向から空気を吸込んで周方向に吹出す送風作用をなす。
【００１５】
室内熱交換器２３の下端部は筐体２１下部に設けられる平面視で四角枠状のドレンパン２４内に配置され、室内熱交換器２３で生成されるドレン水を受けるようになっている。
【００１６】
後述する化粧パネル３１の吸込口３２と送風機ファン２２との間には、ベルマウス２５が設けられ、その周囲はドレンパン２４に囲まれている。ベルマウス２５の下面側には、電気部品箱２６が設けられ、この内には制御回路が収容されている。
【００１７】
また、内蔵ユニット２，２には、それぞれ筐体２１の一側面にドレン排水口と冷媒配管接続部（共に図示しない）が設けられており、これらが設けられた一側面が対向するようにして外枠部１０内に収納されている。
このとき、内蔵ユニット２，２は、図４に示すように互いに所定間隙を有するように配置される。この間隙に、各内蔵ユニット２，２で生じたドレン水を上記外枠部１０に設けられたドレン排水口１２に導くドレン導出管（図示しない）、ガス管接続部１３ａ及び液管接続部１３ｂと各内蔵ユニット２，２の冷媒配管接続部とを接続する冷媒配管（図示しない）等が配置される。
【００１８】
次に化粧パネル部３について説明する。
図１乃至図３に示すように化粧パネル部３は、２枚の４方向吹出しタイプの化粧パネル３１，３１と、化粧パネル３１，３１を連結する２つの化粧パネル連結部材４ａ，４ｂと、化粧パネル３１，３１同士が隣接する部分を覆うカバー部材５とで構成されている。
化粧パネル３１，３１は、その中央に開口された矩形状の吸込口３２と、吸込口３２の各辺部に沿って４ヶ所に設けられた吹出口３３とを有している。吸込口３２には、吸込グリル３４が着脱自在に取り付けられ、各吹出口３３には、空調空気を被空調空間に案内するルーバ３５が取り付けられている。
【００１９】
化粧パネル３１，３１のコーナー部には、開口部３６（図７）が設けられており、さらに外枠部１０のコーナー部に位置する開口部３６にはそれぞれ蓋３７が着脱自在に取り付けられている。
この開口部３６と蓋３７の真上に外枠部１０の吊下げ部１１が位置しており、蓋３７を取り外すことにより、吊下げボルト１００に対するナット１０１の螺着位置を調整し、外枠部１０の吊下げ高さ位置の調整が行える。
【００２０】
図６乃至図８に示すように、化粧パネル３１，３１同士が隣接する側の開口部３３には、蓋３７の替わりにパネル連結部材４ａ，４ｂが配置され、化粧パネル３１，３１同士が隣接するコーナー部間に亘って架設されている。
【００２１】
パネル連結部材４ａ，４ｂは、金属板で形成されており、パネル連結部４ａ，４ｂ同士が対向する側の端部には、それぞれ対向する側に向けて略水平に設けられた係止片４１ａ，４１ｂを有している。この係止片４１ａ，４１ｂは後述するカバー部材５の引掛け部材５１ａ，５１ｂとそれぞれ係合する。
【００２２】
また、パネル連結部材４ａ，４bの係止片４１ａ，４１ｂと反対側の端部に係止爪４２ａ，４２ｂが設けられている。この係止爪４２ａ，４２ｂはそれぞれ所定間隔を有して２つずつ設けられ、各化粧パネル３１，３１の開口部３６を囲うパネル縁部３１ａに設けられた凹部３１ｂに嵌め込まれる。これによりパネル連結部４ａ，４ｂと化粧パネル３１，３１との位置決めが容易に行える。
【００２３】
また、パネル連結部材４ａ，４ｂには、それぞれ複数の取り付け用孔４３ａ，４３ｂが設けられ、対する化粧パネル３１，３１には、取り付け用孔４３ａ，４３ｂに対応する箇所に複数の取り付け用孔３１ｃが設けられている。
パネル連結部材４ａ，４ｂを化粧パネル３１，３１に配置し、互いに対向する取り付け用孔４３ａ，４３ｂ，３１ｃに固定用ねじを挿入することにより、化粧パネル３１，３１がパネル連結部材４ａ，４ｂを介して連結固定される。
【００２４】
図６に示すようにカバー部材５は、薄い金属板もしくは樹脂製の薄板からなるカバー板５０と、パネル連結部材４ａ，４ｂとそれぞれ係合する引掛け部材５１ａ，５１ｂとから構成されている。
【００２５】
カバー板５０は、外力を加えると容易に曲がり、外力を除くと復元する弾力性を有し、吸込グリル３４の外周縁に沿うように両側部がくびれた形状をなし、化粧パネル３１の全幅に亘って設けられる。
【００２６】
図６に示すように、引掛け部材５１ａ，５１ｂは、カバー板５０の化粧パネル３１，３１と対向する面に互いに所定の間隔を在して略平行に設けられ、それぞれ外側方向に略水平に設けられた引掛け片５２ａ，５２ｂを有している。この引掛け片５２ａ，５２ｂはそれぞれカバー板５０と所定の間隙を有して設けられている。つまり、引掛け片５２ａとカバー板５０との間隙にパネル連結部材４ａの係止片４１ａが挿入され、もう一方の引掛け片５２ｂとカバー板５０との間隙にパネル連結部材４ｂの係止片４１ｂが挿入されることによりパネル連結部材４ａ，４ｂにカバー部材５が係止される。
【００２７】
また、カバー板５０の両端部５０ａ，５０ｂには、カバー部材５を化粧パネル３１，３１に固定するための固定部５３ａ，５３ｂが設けられている。カバー板５０の一方の端部５０ａに設けられる固定部５３ａは、カバー板５０の端部から略垂直方向に折曲形成された垂直片部５３ａ１を有し、さらにこの垂直片部５３ａ１の端部から内側方向に略水平に折曲形成された水平片部５３ａ２を有しており、固定部５３ｂは断面視でコの字状に折曲形成されている。
この係止部５３ａが化粧パネル３１，３１の縁部３１ａを挟み込むことにより固定部５３ａが化粧パネル３１，３１に係止される。
【００２８】
一方、カバー板５０の他方の端部５０ｂに設けられる固定部５３ｂは、もう一方の固定部５３ａ同様に垂直片部５３ｂ１を有し、この垂直片部５３ｂ１には、幅方向に所定間隔を有して２つの取り付け用孔５３ｂ２が設けられている。固定部５３ｂと対向する化粧パネル３１，３１の縁部３１ａには、取り付け用孔３１ｄ（図７）が設けられており、互いに対向する取り付け用孔５３ｂ２、取り付け用孔３１ｄにクリップ状の固定部材５４を挿入することにより固定部５３ｂが化粧パネル３１，３１に係止される。
【００２９】
以上のように構成された天井埋込型の空気調和機の室内機１において、内蔵ユニット２，２のそれぞれの送風機２２，２２が駆動されることにより、化粧パネル部３の吸込口３２，３２から内蔵ユニット２，２内へ被空調空気が吸引され、それぞれの熱交換器２３，２３において熱交換がなされた後、化粧パネル部３のカバー部材５により塞がれた吹出口３３を除く複数の吹出口３３から被空調室内側に吹出される。
【００３０】
次に、カバー部材５の化粧パネル３への取り付け手順について図９を用いて説明する。なお、図９は図３のＸ−Ｘ線における断面概略図であり、空気調和機１の設置時とは天地を逆にして示している。
【００３１】
まず、図９（１）に示すように、先にカバー部材５の引掛け片５２ａとパネル連結部材４ａの係止片４１ａとを係合する。このときカバー板５０は図９（２）の２点鎖線で示すように湾曲する。
【００３２】
続いて反対側の引掛け部材５１ｂ側を化粧パネル３１，３１に近づけることで、カバー板５０の形状は図９（２）の実線で示すように復元し、引掛け部材５１ｂがパネル連結部材４ｂの係止片４１ｂと対向する。
【００３３】
次に、図９（３）に示すように、カバー板５０の固定部５３ａ側を押さえ込むことによりこの部分が化粧パネル３１，３１の形状に沿って湾曲する。
【００３４】
この状態で図９（４）に示すように、カバー部材５を矢印方向（図面右方向）にスライドさせることにより固定部５３ａと化粧パネル３１，３１の縁部３１ａとが係止される。このとき、図９（３）に示すように、係止部５３ａの水平片部５３ａ２の長さＰよりも、パネル連結部材４ａの係止片４１ａとカバー部材５の引掛け片５１ａとが係合する長さＱが長く設けられているため、固定部５３ａの垂直片部５３ａ１の内側面と化粧パネル３１，３１の縁部３１ａとが当接するまでスライドさせてもパネル連結部材４ａと引掛け部材５１ａの係合は解除されない。
【００３５】
そして、カバー部材５をスライドさせることにより、パネル連結部材４ｂと引掛け部材５１ｂとが係合する。つまり、パネル連結部材４ｂの係止片４１ｂが引掛け片５２ｂとカバー板５０との間隙に挿入される。
この状態において、引掛け片５２ａ，５２ｂの端部間距離Ｒが、係止片４１ａ，４１ｂの端部間距離Ｓより長く設定されているので、パネル連結部材４ａ，４ｂと引掛け部材５１ａ，５１ｂの係合が解除されることはない。
【００３６】
図９（５）に示すようにカバー部材５の係止部５３ｂ側を押さえ込むことによりこの部分が化粧パネル３１，３１の形状に沿って湾曲する。
この状態で図９（６）に示すようにクリップ状の固定具５４を挿入することで係止部５３ｂを化粧パネル３１，３１の縁部３１ａに固定する。
【００３７】
このようにカバー部材５が化粧パネル部３に取り付けられることにより、パネル連結部材４ａ，４ｂ及び化粧パネル３１，３１同士が対向する側に位置する吹出口３３が覆われ、２枚の化粧パネル３１，３１が外見上１枚の化粧パネル部３として見える。
ここで、カバー部材５により塞がれる吹出口３３は別部材の遮蔽部材により予め塞がれている。
【００３８】
以上説明したように、本発明に係る化粧パネル部３は、２枚の化粧パネル３１，３１を連結部材４ａ，４ｂにより連結固定し、連結部分をカバー部材５で覆う構成としたので、大形の金型を必要としないためコストの上昇を抑えることができる。また既存の部品を多く流用することができるので、新たな金型を必要とせず、開発時間の短縮および製品コストの低減を図ることができる。
【００３９】
また、ねじ及び工具を用いることなくカバー部材５を取り付けることができるので、組立て時間の短縮及びメンテナンス性が向上する。
【００４０】
また、カバー板５０が化粧パネル３１の形状に沿って湾曲するのでカバー部材５の取り付けが作業が容易に行えるとともに、カバー部材５と化粧パネル３１，３１との境界部分が目立たなくなり、見栄えを良くすることができる。
【００４１】
なお、本発明は実施の形態では、４方向吹出しタイプの天井カセット形空気調和機について説明したが、これ限定されるものではなく、例えば２方向吹出しタイプの天井カセット形空気調和装置にも適用が可能であり、また、２台の天井カセット形空気調和機本体を１つの外枠体に収納したが、３台を収納する構成としてもよく、これに限られるものではない。
【図面の簡単な説明】
【００４２】
【図１】本発明の実施の形態に係る、天井カセット形空気調和機を下面側から示す斜視図である。
【図２】同実施の形態に係る、天井カセット形空気調和機からカバー部材を取り外して下面側から見た斜視図である。
【図３】同実施の形態に係る、天井カセット形空気調和機からカバー部材を取り外して下面側から見た図である。
【図４】同実施の形態に係る、天井カセット形空気調和機の側面図である。
【図５】同実施の形態に係る、天井カセット形空気調和機の内蔵ユニットの断面図である。
【図６】同実施の形態に係る、天井カセット形空気調和機のカバー部材とパネル連結部材を示す斜視図である。
【図７】同実施の形態に係る、天井カセット形空気調和機の化粧パネルを一部拡大して示す平面図である。
【図８】同実施の形態に係る、天井カセット形空気調和機の化粧パネルとパネル連結部材を一部拡大して示す平面図である。
【図９】同実施の形態に係る、天井カセット形空気調和機のカバー部材の取り付け手順を説明する断面図である。
【符号の説明】
【００４３】
１…天井カセット形空気調和機、２…内蔵ユニット、３…化粧パネル部、４ａ，４ｂ…パネル連結部材、５…カバー部材、１０…外枠部、３１…化粧パネル、３６…開口部、３７…蓋、４１ａ，４１ｂ…係止片、５０…カバー板、５１ａ，５１ｂ…引掛け部、５３ａ，５３ｂ…固定部
【図１】
0004704226.tif 000002
【図２】
0004704226.tif 000003
【図３】
0004704226.tif 000004
【図４】
0004704226.tif 000005
【図５】
0004704226.tif 000006
【図６】
0004704226.tif 000007
【図７】
0004704226.tif 000008
【図８】
0004704226.tif 000009
【図９】
0004704226.tif 000010